(57)【要約】      （修正有）【課題】１種類のハンドルでハンドルピッチ（長さ）を可変させる事が出来る釣り用リールのハンドルを提供する。【解決手段】ハンドルは、リール本体に取り付けられる結合軸４と、結合軸４にボルト１により取り付けられるアーム３と、アーム３の自由端に取り付けられたノブ８とを備える。アーム３と当接する当接面５には空転を阻止する空転阻止手段が当接面５から突出して設けられる。ボルト１が挿入される貫通孔が結合軸４の中心線上に設けられ、且つ前記アーム３には空転阻止手段と対応する形状の開口部７とが形成される。さらに、偏芯した開口部９が形成された偏芯板２が挿入される凹所１１を形成し、空転阻止手段がアーム３の開口部７に挿入されるとともに、偏芯板をアーム３の凹所に挿入する。【選択図】図１
0003182197.tif 000002
【実用新案登録請求の範囲】
【請求項１】
リール本体に着脱自在に取り付けられるハンドルは、前記リール本体に取り付けられる結合軸と、前記結合軸にボルトにより取り付けられるアームと、前記アームの自由端に取り付けられたノブとを備えており、前記結合軸の前記アームと当接する当接面には前記アームの空転を阻止する空転阻止手段が結合軸の中心線に対して偏芯して前記当接面から突出して設けられるとともに前記ボルトが挿入される貫通孔が前記結合軸の中心線上に設けられ、且つ前記アームには前記結合軸の空転阻止手段と対応する形状の開口部とが形成されるとともに前記ボルトが挿入される偏芯した開口部が形成された偏芯板が挿入される凹所を形成し、前記空転阻止手段を前記アームの開口部に挿入するとともに、前記偏芯板を前記アームの凹所に挿入し、前記ボルトを前記偏芯板、前記アームに順次挿入して前記ボルトにより前記偏芯板、前記アームを前記結合軸に螺着した事を特徴とするリールのハンドル。
【考案の詳細な説明】
【技術分野】
【０００１】本考案は、釣り用リールのハンドルに関するものである。
【背景技術】
【０００２】釣り用のリールには購入時にリールメーカー標準のハンドルが取り付けられているが、釣り人によっては、その標準ハンドルが感触・指とのフィット感・振動により伝わってくる感度等の機能面・デザイン面に気に入らない場合があり、気に入ったものに取り替えたいとの要求がある。【０００３】従来、釣り人の要求に応じて釣り用リールのハンドルを独自に開発・販売して使い勝手の良い釣り用リールのハンドルを釣り人に提供しようとした場合、ハンドルピッチ（長さ）を固定して、複数のハンドルピッチ（長さ）違いのタイプを提供しユーザーは複数のハンドルピッチ（長さ）違いの選択肢の中から選択する必要があり、用途によりハンドルピッチ（長さ）違いが必要となれば、複数本購入する必要があった。
【先行技術文献】
【特許文献】
【０００４】
【特許文献１】特開２０１０−２２６９７７号公報
【考案の概要】
【考案が解決しようとする課題】
【０００５】釣り人の嗜好に沿って、釣り人にとって機能面にもデザイン面にも使い勝手の良いものを、標準品として装着されているハンドルと交換して、ハンドルピッチ（長さ）をユーザーの好みに合わせて、可変させる事が出来る釣り用リールのハンドルを提供することにある。
【課題を解決するための手段】
【０００６】  本考案のリール本体に着脱自在に取り付けられるハンドルは、前記リール本体に取り付けられる結合軸と、前記結合軸にボルトにより取り付けられるアームと、前記アームの自由端に取り付けられたノブとを備えており、前記結合軸の前記アームと当接する当接面には前記アームの空転を阻止する空転阻止手段が結合軸の中心線に対して偏芯して前記当接面から突出して設けられるとともに前記ボルトが挿入される貫通孔が前記結合軸の中心線上に設けられ、且つ前記アームには前記結合軸の空転阻止手段と対応する形状の開口部とが形成されるとともに前記ボルトが挿入される偏芯した開口部が形成された偏芯板が挿入される凹所を形成し、前記空転阻止手段を前記アームの開口部に挿入するとともに、前記偏芯板を前記アームの凹所に挿入し、前記ボルトを前記偏芯板、前記アームに順次挿入して前記ボルトにより前記偏芯板、前記アームを前記結合軸に螺着した事を特徴とする。
【考案の効果】
【０００７】  本考案のリール本体に着脱自在に取り付けられるハンドルは、前記リール本体に取り付けられる結合軸と、前記結合軸にボルトにより取り付けられるアームと、前記アームの自由端に取り付けられたノブとを備えており、前記結合軸の前記アームと当接する当接面には前記アームの空転を阻止する空転阻止手段が結合軸の中心線に対して偏芯して前記当接面から突出して設けられるとともに前記ボルトが挿入される貫通孔が前記結合軸の中心線上に設けられ、且つ前記アームには前記結合軸の空転阻止手段と対応する形状の開口部とが形成されるとともに前記ボルトが挿入される偏芯した開口部が形成された偏芯板が挿入される凹所を形成し、前記空転阻止手段を前記アームの開口部に挿入するとともに、前記偏芯板を前記アームの凹所に挿入し、前記ボルトを前記偏芯板、前記アームに順次挿入して前記ボルトにより前記偏芯板、前記アームを前記結合軸に螺着した事を特徴とするものであり、ボルトを緩めて結合軸の空転阻止部とアームの開口部の位置を変える事により、釣り人の要求に応じて釣り用リールのハンドルピッチ（長さ）を独自に開発・販売して使い勝手の良い釣り用リールのハンドルを釣り人に提供しようとした場合、ハンドルピッチ（長さ）の違う物を製造、在庫、販売しなければならなかったが、１種類のハンドルで複数のハンドルピッチに対応出来る事により、メーカーでの製造管理、販売店の在庫の種類を最小限にすることが出来、またユーザーも用途に応じて複数本購入する種類が最小限になるという効果がある。
【図面の簡単な説明】
【０００８】
【図１】図１は、本考案のリールハンドル分解斜視図である。
【図２】図２は、本考案のリールハンドル分解断面図である。
【図３】図３は、本考案のリールハンドル動作説明図である。
【図４】図４は、本考案のリールハンドル動作説明図である。
【図５】図５は、本考案のリールハシドル動作説明図である。
【図６】図６は、本考案のリールハンドル動作説明図である。
【考案を実施するための形態】
【０００９】  以下、本考案の一実施形態の釣り用リールのハンドルの実施例を図１〜図６を参照して説明する。リール本体（図示せず）にハンドルＨは、着脱自在に取り付けられている。ハンドルＨは、リール本体に取り付けられる結合軸４と、結合軸４にボルト１により取り付けられるアーム３と、アーム３の自由端に取り付けられたノブ８とを備えている。
【００１０】  結合軸４のアーム３と当接する当接面５にはアーム３の空転を阻止する空転阻止手段となる空転阻止部６が結合軸４の中心線に対して偏芯して当接面５から突出して設けられるとともにボルト１が挿入される貫通孔が結合軸４の中心線上に設けられている。
【００１１】  アーム３には結合軸４の空転阻止部６と対応する形状の開口部７とが形成されるとともにボルト１が挿入される偏芯した開口部９が形成された偏芯板２が挿入される凹所１１を形成し、空転阻止部６をアーム３の開口部７に挿入するとともに、偏芯板２をアーム３の凹所１０に挿入してボルト１を偏芯板２、アーム３に順次挿入して結合軸４に螺着されている。
【００１２】  リール本体に形成されたねじ部に結合軸４に形成されたねじ部が着脱自在に螺着されているが、ねじ以外の取付手段で取り付けられていても構わないものである。
【００１３】  図３〜図６の動作説明図の様に、結合軸４の当接面５から中心軸Ｓに対して偏芯して突出している空転阻止部６とアーム３の結合軸４の空転阻止部６と対応する形状の開口部７の挿入位置を変える事により、結合軸４の中心軸からノブ８との距離を変える事が可能になる。
【００１４】  本考案のハンドルは、結合軸４の当接面５から中心軸Ｓに対して偏芯して突出している空転阻止部６とアーム３の前記結合軸４空転阻止部６と対応する形状の開口部７は、六角形（４ポジション）での説明したが、四角形以上のすべての多角形（ギア形状）でも本考案と同様に結合軸４の中心軸からノブ８との距離を変える事が可能になる。
【００１５】  アーム３には結合軸４の空転阻止手段６と対応する形状の開口部７とが形成されるとともにボルト１が挿入される偏芯した開口部９が形成された偏芯板２が挿入される凹所１０が形成されている。
【００１６】  偏芯板２には、ボルト１が挿入される開口部９が形成されるとともに、緩み止め効果が有るＯリング１２が挿入される凹所１１が形成されている。
【００１７】  偏芯板２は、ボルト１やアーム３との接地面でのカジリ防止の為、表面に硬質潤滑アルマイト（カシマコート）処理が施されている。
【００１８】  本考案のハンドルは、ジェラルミン製の結合軸４と、アーム３に回動自在に取り付けられた中空のノブ８とで構成されており、結合軸４の当接面５から中心軸Ｓに対して偏芯して突出している空転阻止部６とアーム３の前記結合軸４空転阻止部６と対応する形状の開口部７の挿入位置を変える事により、中心軸Ｓからノブ８との距離を変える事が可能になる。ノブ８の構造によって、巻き心地・感触・指とのフィット感・振動により伝わってくる感度等の機能面に変化があり、実際にハンドルを回転させないと、自分の嗜好に合っているかが判らないものである。
【００１９】  アーム３は、ノブ８が一つ具備したスピニング用のシングルハンドルのもので説明したが、ノブが一つ具備したベイトリール用ハンドルに本考案を採用しても構わないものである。
【００２０】  アーム３の色が２色、ノブ８の色が４色、ハンドル長さが４種類有り従来では３２種類あったのが、本考案により、１種類のハンドルでピッチ（長さ）を図３〜図６の動作説明図の様に４種類選択出来、長さが１種類、全８種類の少ない在庫で幅広い要望に対応可能になる。
【符号の説明】
【００２１】  １              ボルト
２              偏芯板
３              アーム
４              結合軸（スカート）
５              当接面
６              空転阻止部
７              開口部
８              ノブ
９              開口部
１０              凹所
１１              凹所
１２              Ｏリング
【図１】
0003182197.tif 000003
【図２】
0003182197.tif 000004
【図３】
0003182197.tif 000005
【図４】
0003182197.tif 000006
【図５】
0003182197.tif 000007
【図６】
0003182197.tif 000008